(57)【要約】【課題】  簡易スタンドに完成形としての使用面だけでなく、その組み立て過程における形状の変化自体に興味や価値を抱かせ、組み立てる楽しみを持たせる。【解決手段】  １枚の薄板状の紙や樹脂等という極めて簡便な材料と簡単な構造でありながら、従来は主眼とされなかった図柄や意匠といった点にも創造性を発揮し、単に使用価値だけに留まらない、変化する図柄が提供する変化への興味と面白み、さらには組み立てる楽しみさえも提供することを特徴とする。【選択図】図１
0003135464.tif 000002
【実用新案登録請求の範囲】
【請求項１】
１枚の薄板状の紙や樹脂等を材料とし、簡単な折りと貼り合わせ、および切り込みによって一定の自立形状を保持する簡易スタンド。
【請求項２】
前記スタンドにおいて、収納時は底面を二分する左右方向に走る山折線により外側へ押し広げることで薄く折りたためることを特徴とする、請求項１に記載の簡易スタンド。
【請求項３】
前記スタンドにおいて、底面以外の外表面に直接、または自由な形のポケット等を設けることによって、写真やカレンダー等を掲示することを可能とする、請求項２に記載の簡易スタンド。
【請求項４】
前記スタンドにおいて、収納時の形状から自立時の形状への変化の中で、表面の図柄が連続性を持つ、新たな図柄として展開される意匠を特徴とする、請求項３に記載の簡易スタンド。
【考案の詳細な説明】
【技術分野】
【０００１】  本考案は、１枚の薄板状の紙や樹脂等を材料とする簡易スタンドに関するものである。
【背景技術】
【０００２】  従来、紙や樹脂を材料とする簡易スタンドにおいては、背面部の一部を後方へ折り曲げるなど背面部を支脚の一部として利用するものや、本体部と脚部を別々に形成し接合するものが多かった。【０００３】  また、スタンドとしての機能を優先するものが多く、その組み立てにおける形状の変化を利用した、表面の図柄の展開が工夫されたり、完成時の意匠を考慮したものは少なかった。【０００４】  そのような中で、本願考案に関連する公知技術として実用新案文献１にて示された、大小２枚の逆Ｖ字形の板状材を組み合わせた表と裏の両面が使用可能な簡易スタンド、および実用新案文献２にて示されたスタンド部とカードホルダー部から成る２つ部材の接合によって構成される紙製スタンドホルダーを挙げることができる。【０００５】
【特許文献１】  登録実用新案文献第３１１０９０９号
【０００６】
【特許文献２】  登録実用新案登録第３０８４１７９号
【考案の開示】
【考案が解決しようとする課題】
【０００７】  上述のような従来技術に係る、紙や樹脂を材料とする簡易スタンドにおいては、その材質や構造上、またコスト上の点等により、強度と機能性の確保のために、背面部の見栄えや活用展開までには至っていなかった。【０００８】  また、あくまでも完成された状態における使用において価値が存在するものであり、その組み立てから完成までの形状の変化に興味や価値、効用は存在するものではなかった。【０００９】  実用新案文献第３１１０９０９号ならびに実用新案登録第３０８４１７９号の考案においても、１枚ではなく、２枚あるいはそれ以上の部材による構成とされている。さらに、形状の変化に伴う興味や価値、効用というものを考慮するものではなかった。【００１０】  本考案は、このような点に鑑みて成されたものであり、その目的は１枚の紙や樹脂等という簡便な材料の使用と簡単な構造でありながら、単に完成形としての使用面だけでなく、その組み立て過程における形状の変化自体に興味や価値を抱かせ、組み立てる楽しみを提供することができるようにすることにある。
【課題を解決するための手段】
【００１１】  請求項１の構成は、上述の目的を達成するための本考案の簡易スタンドが、１枚の薄板状の紙や樹脂等を材料とし、簡単な折りと貼り合わせ、および切り込みによって一定の自立形状を保持することを特徴とする。【００１２】  請求項１の構成によれば、一定の自立性を保持するための工夫がなされているため、材料の伸縮や加工前の形状への復元力に左右されることなく、長期間にわたる使用に耐えることができる。【００１３】  請求項２の構成は、請求項１の構成において、収納時は底面を左右方向に走る山折線により外側へ押し広げることで薄く折りたためる仕様とすることを特徴とする。【００１４】  請求項２の構成によれば、収納時や保管時、さらには郵送や持参時において、かさばらず不要な空間を占有しなくてすむという有益性を生む。【００１５】  請求項３の構成は、底面以外の外表面に直接、また自由な形のポケット等を設けることによって、写真やカレンダー等を掲示することを可能とすることを特徴とする。【００１６】  請求項３の構成によれば、繰り返しの使用により、長期間活用することができるため、環境および資源保護に役立つ。【００１７】  請求項４の構成は、折りたたみ時の形状から自立時の形状への変化の中で、表面の図柄が連続性を持つ、新たな図柄として展開される意匠を特徴とする。【００１８】  請求項４の構成によれば、変化する図柄の展開により、組み立てるという作業に楽しみを提供する。
【考案の効果】
【００１９】  以上の説明のように、本考案によれば１枚の薄板状の紙や樹脂等という極めて簡便な材料と簡単な構造で一定の形状を保持することを可能とする。また、従来の技術であれば主眼とされなかった図柄や意匠といった点にも創造性を発揮できる。そして何よりも、従来の簡易スタンドにはなかった、使用価値だけに留まらない、変化する図柄が提供する変化への興味と面白み、さらには組み立てる楽しみさえも提供できる。
【考案を実施するための最良の形態】
【００２０】  以下、本考案の実施の形態を図面に基づき詳細に説明する。【００２１】  図１〜図７は本考案の第１の実施の形態に係り、図１は外観斜視図、図２は組み立て前の展開図・外面、図３は図２の反対面、図４は収納時の正面図、図５は収納時の側面図、図６は自立時の正面図、図７は自立時の側面図である。【００２２】  なお図１〜図７に示した形状ならびに図柄は、あくまでも本考案を説明する上で理解しやすくするための一例であり、これに限るものではない。【００２３】  各図における１および４、５のサイズは、スタンドとして使用に際してそこに掲示する物品、内容に応じた適当なサイズを設定する。また１および４、５を同サイズとする時、図７のように側面から見た形状は外表面・前面と外表面・後面そして底面から構成される二等辺三角形を主たる形状として形成される。【００２４】  図２の展開図を、図に破線で示された山折り線で折り曲げていき、最後に引き出し部７の先端をスリット８に通すと正面からは図４、側面からは図５に示すような形状となる。ただし、この時点では、まだ接着が行われていないため、図４および図５に示す形状を維持することはなく、手を離せば元の展開された状態に復元される。【００２５】  そこで外表面・前面１と外表面・前面の裏打ち面５を接着剤や両面テープ等で接着、同じく底面Ａ２と底面Ａの裏打ち面６を同様に接着することで、図４ならびに図５の形状が維持される。【００２６】  図４ならびに図５の形状より、底面を二分する山折り線１０を上へ押し上げるか、または引き出し部１１を引き上げ、引き出し部に設けた切り込み９を外表面・前面１の上辺に引っ掛けることによって、図６ならびに図７の形状を保持する。【００２７】  すなわち、引き出し部に設けた切り込み９を外表面・前面１の上辺に引っ掛けることによって、底面が収納時の形状に復元しようとする力を打ち消し、形状を長期間にわたって保持せしめる。【００２８】  このようにして構成された図６ならびに図７の形状は、底面を有し、さらに先に記したように側面から見て三角形を構成するため、自立に耐える形状となる。【００２９】  この形状を保持し、自立する形状となったものをスタンドとしての完成形とする。【００３０】  この完成形の外表面・前面１および外表面・後面４に直接書き込みを行ったり、物品を掲示することによって、スタンドとしての価値を発揮する。【００３１】  図８は外表面・前面１の中央に窓を開け、さらに外表面・前面の裏打ち面５との接着を全面ではなく、左右の窓枠部のみとすることで収納時の形状において外表面・前面１と外表面・前面の裏打ち面５のすき間に上部から写真等を入れることが可能となることを示すものである。また左右ではなく、上部の窓枠部のみの接着とする場合は、左右から写真等を入れることが可能となる。【００３２】  また、窓枠部はポケット等に変えることも可能である。【００３３】  図９は図８で示した図柄をクマからキリンに変えたものであり、このように形状や図柄は自由に設定することができることを示すものである。【００３４】  本考案のさらなる特徴は、上記に一例として示したクマやキリンの形状・図柄のように、単に完成形としての使用面だけでなく、収納時から完成時への組み立て過程における形状および表面の図柄の変化が連続性を持って展開されることが可能な点である。
【図面の簡単な説明】
【００３５】
【図１】  本考案の請求項１〜４の実施の形態を示す、簡易スタンドの外観斜視図である。
【図２】  組み立て前の状態を示す展開図・外面である。
【図３】  図２の反対面である。
【図４】  収納時の形態を示す正面図である。
【図５】  収納時の形態を示す側面図である。
【図６】  自立時の形態を示す正面図である。
【図７】  自立時の形態を示す側面図である。
【図８】  本考案の第２の形態に係る簡易スタンドの外観斜視図である。
【図９】  図８の内容を別の形状・図柄で構成した場合の一例の外観斜視図である。
【符号の説明】
【００３６】１    外表面・前面
２    底面Ａ
３    底面Ｂ
４    外表面・後面
５    外表面・前面の裏打ち面
６    底面Ａの裏打ち面
７    引き出し部・後面
８    スリット
９    切り込み
１０  底面を二分する山折線
１１  引き出し部・前面
１２  窓枠部
【図１】
0003135464.tif 000003
【図２】
0003135464.tif 000004
【図３】
0003135464.tif 000005
【図４】
0003135464.tif 000006
【図５】
0003135464.tif 000007
【図６】
0003135464.tif 000008
【図７】
0003135464.tif 000009
【図８】
0003135464.tif 000010
【図９】
0003135464.tif 000011
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
１枚の薄板状の紙や樹脂等を材料とし、簡単な折りと貼り合わせ、および切り込みによって側面の形状が三角形を構成、またその形状を保持し自立する簡易スタンド。
【請求項２】
前記スタンドにおいて、収納時は底面を二分する左右方向に走る山折線により外側へ押し広げることで薄く折りたためることを特徴とする、請求項１に記載の簡易スタンド。
【請求項３】
前記スタンドにおいて、底面以外の外表面に直接、または自由な形のポケット等を設けることによって、写真やカレンダー等を掲示することを可能とする、請求項２に記載の簡易スタンド。
【請求項４】
前記スタンドにおいて、収納時の形状から自立時の形状への変化の中で、表面の図柄が連続性を持つ、新たな図柄として展開される意匠を特徴とする、請求項３に記載の簡易スタンド。
【手続補正２】
【補正対象書類名】明細書
【補正対象項目名】００１１
【補正方法】変更
【補正の内容】
【００１１】  請求項１の構成は、上述の目的を達成するための本考案の簡易スタンドが、１枚の薄板状の紙や樹脂等を材料とし、簡単な折りと貼り合わせ、および切り込みによって側面の形状が三角形を構成、またその形状を保持し自立することを特徴とする。
【手続補正３】
【補正対象書類名】明細書
【補正対象項目名】００１２
【補正方法】変更
【補正の内容】
【００１２】  請求項１の構成によれば、側面の形状が三角形を構成、またその形状を保持し自立するための工夫がなされているため、材料の伸縮や加工前の形状への復元力に左右されることなく、長期間にわたる使用に耐えることができる。
【手続補正４】
【補正対象書類名】明細書
【補正対象項目名】００１９
【補正方法】変更
【補正の内容】
【００１９】  以上の説明のように、本考案によれば１枚の薄板状の紙や樹脂等という極めて簡便な材料と簡単な構造によって側面の形状が三角形を構成、またその形状を保持し自立することを可能とする。また、従来の技術であれば主眼とされなかった図柄や意匠といった点にも創造性を発揮できる。そして何よりも、従来の簡易スタンドにはなかった、使用価値だけに留まらない、変化する図柄が提供する変化への興味と面白み、さらには組み立てる楽しみさえも提供できる。